(57)【要約】【課題】便器洗浄を実行した際にタンク内に残留する洗浄水を少なくし、小型化を図ることができる便器洗浄装置を提供する。【解決手段】便器洗浄装置は、水洗式大便器１の便器本体２に供給する洗浄水を貯水するタンク１０と、このタンク１０と便器本体２とを連通した給水路３０と、この給水路３０を通じてタンク１０内に貯水した洗浄水を便器本体２に送水するポンプ５０とを備えている。タンク１０は、底面の最下端部で上下方向に開口し、給水路３０の上流端部を連結した流出口２０を有している。【選択図】図１
2014114628.tif 000002
【特許請求の範囲】
【請求項１】
水洗式大便器の便器本体に供給する洗浄水を貯水するタンクと、
このタンクと前記便器本体とを連通した給水路と、
この給水路を通じて前記タンク内に貯水した洗浄水を前記便器本体に送水するポンプとを備えている便器洗浄装置であって、
前記タンクは、底面で上下方向に開口し、前記給水路の上流端部を連結した流出口を有していることを特徴とする便器洗浄装置。
【請求項２】
前記タンクは、前記流出口の上方に配置し、この流出口へ向かって流れる洗浄水が水平成分を有する流れ方向になるように前記タンク内の洗浄水の流れを規制する規制部材を有していることを特徴とする請求項１記載の便器洗浄装置。
【請求項３】
前記規制部材の底面は外周部が前記タンク内の最低水位よりも下方に位置していることを特徴とする請求項２記載の便器洗浄装置。
【請求項４】
前記規制部材は、外周部の下方に水平成分を有して流れる洗浄水が流れ込む開口部を形成しており、上下方向に貫通し、前記開口部より開口面積が小さい貫通孔を有していることを特徴とする請求項２又は３記載の便器洗浄装置。
【請求項５】
前記規制部材は、平面視において、前記流出口よりも小さく、前記流出口の内側に配置したことを特徴とする請求項２乃至４のいずれか１項記載の便器洗浄装置。
【請求項６】
前記規制部材は、平面視において、前記流出口よりも大きく、前記流出口を覆うように配置したことを特徴とする請求項２乃至４のいずれか１項記載の便器洗浄装置。
【請求項７】
前記給水路は、上流から下流に向けて上昇し、下流側に前記ポンプを設けた上昇流路と、前記ポンプより上流側に設け、洗浄水が上流側へ逆流することを阻止する逆止弁とを有していることを特徴とする請求項１乃至６のいずれか１項記載の便器洗浄装置。
【請求項８】
前記給水路は前記逆止弁より下流側の洗浄水を排水することができる水抜き孔を有していることを特徴とする請求項７記載の便器洗浄装置。
【請求項９】
前記タンクは前記便器本体の便鉢部の下方に配置されていることを特徴とする請求項１乃至８のいずれか１項記載の便器洗浄装置。
【請求項１０】
前記タンクは前記給水路を形成する給水管が嵌り込む凹部を有していることを特徴とする請求項１乃至９のいずれか１項記載の便器洗浄装置。
【発明の詳細な説明】
【技術分野】
【０００１】
本発明は便器洗浄装置に関する。
【背景技術】
【０００２】
特許文献１は従来の便器洗浄装置を開示している。この便器洗浄装置は、水洗式大便器の便器本体に供給する洗浄水を貯水するタンクと、このタンクと便器本体とを連通した給水路と、この給水路を介してタンク内に貯水した洗浄水を便器本体に送水するポンプとを備えている。給水路はタンク内を鉛直方向に延びた管部材によって上流部を形成している。この給水路は上流端をタンクの底面の最下端部の上方近傍に配置している。そして、この給水路は上流端の流入口が下方を向いて開口している。ポンプは給水路の途中に設けられている。
【０００３】
この便器洗浄装置は、便器洗浄を実行すると、ポンプが駆動し、給水路を介してタンク内に貯水した洗浄水を便器本体に送水する。このため、この便器洗浄装置は、水道圧の影響を受けることがなく、安定した流量（流量とは、単位時間当たりに流れる水量をいう。以下、同じ。）の洗浄水を便器本体に送水することができる。よって、この便器洗浄装置は安定した洗浄力を得ることができる。
【先行技術文献】
【特許文献】
【０００４】
【特許文献１】特開２００９−８４７８６号公報
【発明の概要】
【発明が解決しようとする課題】
【０００５】
しかし、特許文献１の便器洗浄装置は、ポンプを駆動してタンク内の洗浄水が給水路内に流入し、タンク内の水位が給水路の流入口の上方近傍に近づくと、管部材の外周壁に沿って水面が凹むように下降する。このため、この便器洗浄装置はタンク内の水位が給水路の流入口より高い位置であっても流入口に空気が流入してしまう。よって、この便器洗浄装置は、ポンプを駆動した際、流入口に空気が流入することがない高い水位でポンプの駆動を停止し、ポンプの空運転を防止しなければならない。このように、この便器洗浄装置は、タンクの底面からかなり高い位置が最低水位になり、便器洗浄に使用することができない洗浄水がタンク内に多く残留してしまう。このため、この便器洗浄装置は、便器洗浄に必要な水量よりもかなり多くの水量を貯水することができるタンクが必要になり、小型化が困難である。
【０００６】
本発明は、上記従来の実情に鑑みてなされたものであって、便器洗浄を実行した際にタンク内に残留する洗浄水を少なくし、小型化を図ることができる便器洗浄装置を提供することを解決すべき課題としている。
【課題を解決するための手段】
【０００７】
本発明の便器洗浄装置は、水洗式大便器の便器本体に供給する洗浄水を貯水するタンクと、
このタンクと前記便器本体とを連通した給水路と、
この給水路を通じて前記タンク内に貯水した洗浄水を前記便器本体に送水するポンプとを備えている便器洗浄装置であって、
前記タンクは、底面で上下方向に開口し、前記給水路の上流端部を連結した流出口を有していることを特徴とする。
【０００８】
この便器洗浄装置は、タンクの流出口がタンクの底面で上下方向に開口しているため、ポンプを駆動した際、タンク内の水位が底面の近傍に低下するまで、流出口に空気が流入しない。このため、この便器洗浄装置は、ポンプを駆動した際、タンク内の水位が底面の近傍に低下するまで、ポンプに空気が流入せず、ポンプを良好に駆動することができる。また、この便器洗浄装置は便器洗浄に必要な水量よりわずかに多い水量を貯水することができるタンクにすればよい。
【０００９】
したがって、本発明の便器洗浄装置は、便器洗浄を実行した際にタンク内に残留する洗浄水を少なくし、小型化を図ることができる。
【図面の簡単な説明】
【００１０】
【図１】実施例１の便器洗浄装置を備えた水洗式大便器を示す断面図である。
【図２】実施例１の便器洗浄装置を示す前方斜視図である。
【図３】実施例１の便器洗浄装置を示す後方斜視図である。
【図４】実施例１の便器洗浄装置を構成するタンク及び給水路を示す平面図である。
【図５】図４の矢視Ｘ−Ｘ断面図である。
【図６】実施例１の給水路を形成する第１給水管及び規制部材を示す斜視図である。
【図７】実施例１の給水路を形成する第１給水管及び規制部材を示す平面図である。
【図８】図７の矢視Ｙ−Ｙ断面図である。
【図９】実施例２の給水路を形成する第１給水管及び規制部材を示す平面図である。
【発明を実施するための形態】
【００１１】
本発明における好ましい実施の形態を説明する。
【００１２】
本発明の便器洗浄装置において、前記タンクは、前記流出口の上方に配置し、この流出口へ向かって流れる洗浄水が水平成分を有する流れ方向になるように前記タンク内の洗浄水の流れを規制する規制部材を有し得る。流出口の上方の水面から鉛直下方に流れて直接的に流出口に流入する流れが、流出口に流入する洗浄水の主流になると、タンク内の水位が高い位置であっても、空気が流出口に流入し易くなり、ポンプが空運転するおそれがある。そこで、この便器洗浄装置は流出口へ向かって流れる洗浄水が水平成分を有する流れ方向になるようにタンク内の洗浄水の流れを規制する規制部材を流出口の上方に配置している。流出口へ向かって流れる洗浄水が水平成分を有する流れ方向になると、その流れに空気が巻き込まれ難く、流出口に空気が流入し難くなる。このため、この便器洗浄装置は、便器洗浄を実行した際、タンク内の水位が低い位置に低下するまでポンプ内に空気が流入せず、ポンプを良好に駆動することができる。よって、この便器洗浄装置は、タンク内に残留する洗浄水を少なくすることができ、小型化を図ることができる。
【００１３】
前記規制部材の底面は外周部が前記タンク内の最低水位よりも下方に位置し得る。この場合、この便器洗浄装置は、便器洗浄を開始してから、設定水量の洗浄水が流出口から流出してタンク内の水位が最低水位に低下するまで、規制部材が常に流出口へ向かって流れる洗浄水を水平成分を有する流れ方向になるように規制することができる。このため、この便器洗浄装置は、便器洗浄を実行してポンプが駆動している間、ポンプ内に空気が流入せず、ポンプを良好に駆動することができる。
【００１４】
前記規制部材は、外周部の下方に水平成分を有して流れる洗浄水が流れ込む開口部を形成しており、上下方向に貫通し、前記開口部より開口面積が小さい貫通孔を有し得る。この場合、この便器洗浄装置は、開口部と貫通孔とを通過した洗浄水が流出口に流入する。このため、開口部に流れ込む洗浄水の流量を少なくすることができるため、開口部に流れ込む洗浄水が空気を巻き込み難くなる。また、貫通孔は開口部より開口面積が小さいため、貫通孔に流れ込む洗浄水の流量が少なく、空気を巻き込み難い。よって、この便器洗浄装置は、便器洗浄を実行した際、タンク内の水位が低い位置になるまでポンプ内に空気が流入せず、ポンプを良好に駆動することができる。このため、この便器洗浄装置は、タンク内に残留する洗浄水を少なくすることができ、小型化を図ることができる。
【００１５】
前記規制部材は、平面視において、前記流出口よりも小さく、前記流出口の内側に配置し得る。この場合、流出口の下方から規制部材をタンク内に挿入し、配置することができる。このため、この便器洗浄装置は容易に組み立てることができる。
【００１６】
前記規制部材は、平面視において、前記流出口よりも大きく、前記流出口を覆うように配置し得る。この場合、この便器洗浄装置はタンク内の洗浄水が流出口の上方の水面から鉛直下方に流れて直接的に流出口に流れ込むことができない。このため、この便器洗浄装置は、便器洗浄を実行した際、流出口に流れ込む洗浄水が空気を巻き込み難くなる。よって、この便器洗浄装置は、便器洗浄を実行した際、タンク内の水位が低い位置になるまでポンプ内に空気が流入せず、ポンプを良好に駆動することができる。このため、この便器洗浄装置は、タンク内に残留する洗浄水を少なくすることができ、小型化を図ることができる。
【００１７】
前記給水路は、上流から下流に向けて上昇し、下流側に前記ポンプを設けた上昇流路と、前記ポンプより上流側に設け、洗浄水が上流側へ逆流することを阻止する逆止弁とを有し得る。この場合、この便器洗浄装置は、ポンプを停止して便器洗浄を終了すると、逆止弁が給水路を閉鎖し、ポンプより上流側の洗浄水が上流側へ逆流しない。このため、この便器洗浄装置は、ポンプ内を満水状態に維持することができ、ポンプの下流側からポンプ内に空気が流入することを防止することができる。よって、この便器洗浄装置はポンプの空運転を防止することができる。
【００１８】
前記給水路は前記逆止弁より下流側の洗浄水を排水することができる水抜き孔を有し得る。この場合、寒冷地における凍結防止等のため、給水路内及びポンプ内の洗浄水を抜くことができる
【００１９】
前記タンクは前記便器本体の便鉢部の下方に配置され得る。この場合、便鉢部の下方空間をタンクの収納空間として有効に利用することができる。また、タンクを便鉢部の下方に配置することによって水洗式便器をローシルエットにすることができる。
【００２０】
前記タンクは前記給水路を形成する給水管が嵌り込む凹部を有し得る。この場合、限られたスペース内で洗浄水が良好に流れるように給水路の流路面積を確保することができる。また、給水管の位置決めをすることができる。
【００２１】
次に、本発明の便器洗浄装置を具体化した実施例１及び２について、図面を参照しつつ説明する。
【００２２】
＜実施例１＞
実施例１の便器洗浄装置は、図１に示すように、タンク１０、給水路３０、及びポンプ５０を備えている。タンク１０は水洗式大便器１の便器本体２に供給する洗浄水を貯水することができる。便器本体２は、便鉢部３と、便鉢部３の下流側に連通した便器排水路４とを有している。便鉢部３は上部周縁にリム通水路５を形成している。タンク１０から便器本体２に供給された洗浄水は、リム通水路５を一方向に流れつつ、便鉢部３の表面に流下する。このため、洗浄水は、平面視において、便鉢部３内に旋回流を形成し、便器排水路４に流入する。便器排水路４は下流端部を排水接続管６の上流端部に連結している。排水接続管６は下流端部を床面Ｆから引き出された排水管７の上流端部に連結している。
【００２３】
タンク１０は便器本体２の便鉢部３の下方に配置されている。タンク１０は、図１〜図３に示すように、便器排水路４の下面の形状に応じた凹部１０Ａを上面に設けていたり、便器排水路４の下流端部及び排水接続管６が後部の左右中央に位置するように、左右後部の間が上下方向に貫通した貫通部１０Ｂを設けていたりする等、便器本体２の便鉢部３の下方空間に良好に収納することができる外形状に形成されている。このため、タンク１０は、便器本体２の便鉢部３の下方であって、便器本体２内に良好に配置することができる。このように、この便器洗浄装置は、便鉢部３の下方空間をタンク１０の収納空間として有効に利用することができる。また、タンク１０を便鉢部３の下方に配置することによって水洗式大便器１をローシルエットにすることができる。タンク１０は断熱材１０Ｃに覆われている。このため、タンク１０は結露を防止することができる。断熱材１０Ｃはタンク１０の外形状にほぼ沿った外形状に形成されている。
【００２４】
タンク１０は、図２及び図３に示すように、右側後部の上部に洗浄水が流入する流入部１１を有している。流入部１１は、上方に開口した円筒状の流入管１２と、タンク１０（流入部１１）内の水位を検知するフロートスイッチ１３と、タンク１０内に空気を吸気することができる吸気部１４とを有している。また、流入部１１は、前面に突出した管状の第１ホース連結部１５及び第２ホース連結部１６を有している。第１ホース連結部１５は空気抜き用ホース１７が連結している。空気抜き用ホース１７はタンク１０の左側後部の上面に上方に向けて突出した管状の空気抜き孔１８に連結している。第２ホース連結部１６は後述する第２水抜きホース４２が連結している。
【００２５】
流入管１２は給水源に連通した図示しない導水管が連結する。タンク１０は、流入管１２から洗浄水が流入して水位が上昇し、設定水位になると、フロートスイッチ１３が検知信号を送信し、導水管に設けた開閉弁を閉弁する。これによって、タンク１０は設定した水量の洗浄水を貯水することができる。この便器洗浄装置は、タンク１０内に洗浄水が流入して水位が上昇する際、タンク１０の左側後部の上方に空気が集まる。タンク１０の左側後部の上方に集まった空気は、タンク１０の左側後部の上面に設けた空気抜き孔１８から空気抜き用ホース１７を介して流入部１１に排気される。これによって、この便器洗浄装置はタンク１０内に洗浄水を良好に貯水することができる。また、吸気部１４は、後述するタンク１０の流出口２０から洗浄水が流出する際、空気をタンク１０内に吸気する。これによって、タンク１０は、貯水した洗浄水をタンク１０の流出口２０から良好に流出させることができる。
【００２６】
タンク１０は、図１に示すように、底面の最下端部で上下方向に開口する流出口２０を有している。流出口２０は円形状に開口している。タンク１０は、流出口２０の上方に円盤形状の規制部材２１を配置している。規制部材２１は、平面視において、流出口２０よりも大きい径で形成されており、流出口２０を覆うように配置されている。また、規制部材２１はタンク１０内の最低水位Ｌよりも下方に配置されている。このため、規制部材２１の底面の外周部はタンク１０内の最低水位Ｌよりも下方に位置している。
【００２７】
ポンプ５０より上流側の給水路３０は、図１、図４〜図８に示すように、第１給水管３１Ａ内に形成されている。規制部材２１は第１給水管３１Ａの上流端部に設けた台座部３２に一体的に結合されている。台座部３２は、規制部材２１が上面に結合する円盤状の平面部３２Ａと、平面部３２Ａの周端縁の４か所から下方に延びる脚部３２Ｂとを有している。台座部３２は各脚部３２Ｂの間に開口部７０を形成し、この開口部７０に流れ込んだ洗浄水が流出口２０を介して給水路３０に流入する。
【００２８】
第１給水管３１Ａは、タンク１０の流出口２０からタンク１０の底面に沿って後方に延びる水平管部３３と、水平管部３３の後端部から上方に延びる上昇管部３４とから構成されている。水平管部３３は、タンク１０の流出口２０の径と略同じ流路幅を有し、流路方向に直交する流路断面形状が横長矩形状に形成された上流部３３Ａと、流路方向に直交する流路断面形状が縦長矩形状に形成された下流部３３Ｂとを有している。水平管部３３の上流部３３Ａは外側に向けて斜め後方へ延びており、下流部３３Ｂは後方に延びている。この便器洗浄装置は、水平管部３３をこのような形状にすることによって、排水接続管６を避けて給水路３０を後方に延ばしつつ、給水路３０の流路面積の減少を抑えることができる。このため、第１給水管３１Ａは水平管部３３内を洗浄水がスムーズに流れることができる。
【００２９】
タンク１０は、図５に示すように、第１給水管３１Ａの水平管部３３の下流部３３Ｂが嵌り込む凹部１９を有している。これによって、第１給水管３１Ａの水平管部３３の下流部３３Ｂは限られたスペース内で洗浄水が良好に流れるように流路面積を確保することができる。また、第１給水管３１Ａの位置決めをすることができる。
【００３０】
水平管部３３は、図８に示すように、後端部の上面に上下方向に開口する連通口３５を設けている。水平管部３３は後端部の下面に水抜き栓３６を有している。水抜き栓３６は、水洗式大便器１の工場組立時に実施する通水試験を行った後、開弁して、給水路３０内の洗浄水を排水することに利用する。
【００３１】
上昇管部３４は上流から下流に向けて上昇する上昇流路３７を内部に形成している。上昇管部３４は、水平管部３３の連通口３５の周囲から立ち上がった円筒形状の第１上昇部３４Ａと、第１上昇部３４Ａの上端部に連続して上方に延び、第１上昇部３４Ａよりも小径である円筒形状の第２上昇部３４Ｂとを有している。第１上昇部３４Ａの中心軸と第２上昇部３４Ｂの中心軸とは偏心している。ポンプ５０は、図１〜図３に示すように、上昇管部３４の第２上昇部３４Ｂの上端（上昇流路３７の下流側）に流入ポート５１が連結して設けられている。
【００３２】
上昇管部３４は、図８に示すように、第１上昇部３４Ａ内にフラッパー式の逆止弁３８を設けている。逆止弁３８はポンプ５０よりも上流側に設けられている。逆止弁３８は水平管部３３の連通口３５を下流側から開閉することができる。このため、逆止弁３８は、ポンプ５０が駆動すると、第１給水管３１Ａ内を流れる洗浄水の流れによって連通口３５を開放し、ポンプ５０の駆動が停止すると、連通口３５を閉鎖し、洗浄水が上流側へ逆流することを阻止する。
【００３３】
上昇管部３４は第１上昇部３４Ａに逆止弁３８より下流側の洗浄水を排水することができる水抜き孔３９を形成している。水抜き孔３９は第１上昇部３４Ａの底面近傍から上方に延び、第１上昇部３４Ａの傾斜した上面から上方に突出した管部３９Ａによって形成されている。第１上昇部３４Ａから上方に突出した管部３９Ａは第１水抜きホース４０が連結されている。第１水抜きホース４０は、図２及び図３に示すように、下流端を水抜き用ポンプ４１の流入ポートに連結している。水抜き用ポンプ４１は流出ポートに第２水抜きホース４２を連結している。第２水抜きホース４２は、タンク１０の流入部１１の前面に設けた第２ホース連結部１６に連結している。第２ホース連結部１６は流入部１１内に設けたオーバーフロー管に連通している。オーバーフロー管は下流端部４３が流入部１１の前面から前方に向けて突出している。オーバーフロー管は下流端部４３が後述する第２給水管３１Ｂの第２吐水ノズル６２に連通する連通管６３の後端部に連結している。
【００３４】
ポンプ５０より下流側の給水路３０は、図１〜図３に示すように、第２給水管３１Ｂ内形成されている。第２給水管３１Ｂは上流端をポンプ５０の流出ポート５２に連結している。第２給水管３１Ｂは、途中で左右方向に分岐しており、一方の先端部に設けた第１吐水ノズル６１と、他方の先端部に設けた第２吐水ノズル６２とを有している。第１吐水ノズル６１は便器本体２のリム通水路５に沿って前方に流れる洗浄水を吐水することができる。第２吐水ノズル６２は便器本体２の便鉢部３の後部表面に沿って流れ落ちる洗浄水を吐水することができる。
【００３５】
次に、このような便器洗浄装置を備えた水洗式大便器１が便器洗浄を実行した際の便器洗浄装置の洗浄動作を説明する。
【００３６】
水洗式大便器１が便器洗浄を実行する前、即ち便器洗浄の待機状態では、ポンプ５０は駆動しておらず、タンク１０は設定水量の洗浄水を貯水している。この状態で第１上昇部３４Ａ内の逆止弁３８は閉弁しており、洗浄水が上流側へ逆流することを阻止している。このため、ポンプ５０内及びポンプ５０より上流側の給水路３０を形成する第１給水管３１Ａ内は洗浄水が満水状態である。よって、この便器洗浄装置は、便器洗浄を開始すると、ポンプ５０は空運転をすることなく良好に駆動することができる。
【００３７】
水洗式大便器１を使用した使用者等が、図示しない洗浄スイッチを操作することによって、ポンプ５０が駆動して便器洗浄が開始する。便器洗浄装置は、ポンプ５０を駆動すると、上昇管部３４内（上昇流路３７）の洗浄水が汲み上げられて第１上昇部３４Ａ内の逆止弁３８が開弁し、タンク１０内に貯水した洗浄水が給水路３０である第１給水管３１Ａ、第２給水管３１Ｂ、及びポンプ５０を介して便器本体２の便鉢部３に吐水される。この便器洗浄装置は、回転数及び回転時間によってポンプ５０を制御しており、設定水量の洗浄水がタンク１０から便器本体２の便鉢部３に吐水され、タンク１０内の水位が最低水位Ｌになると、ポンプ５０の駆動が停止する。
【００３８】
この便器洗浄装置は、タンク１０の流出口２０がタンク１０の底面の最下端部で上下方向に開口しており、流出口２０の上方であってタンク１０内の最低水位Ｌよりも下方の位置に、平面視において流出口２０よりも大きく、流出口２０を覆うように規制部材２１を配置している。このため、この便器洗浄装置はタンク１０内の洗浄水が流出口２０の上方の水面から鉛直下方に流れて直接的に流出口２０に流入することができない。また、この便器洗浄装置は、開口部７０へ向かって流れる洗浄水が水平成分を有する流れ方向になり、その流れに空気が巻き込まれ難くなる。よって、この便器洗浄装置は、タンク１０内の水位が底面の最下端部の近傍（最低水位Ｌ）に低下しても、流出口２０を介してポンプ５０に空気が流入せず、ポンプ５０を良好に駆動することができる。また、この便器洗浄装置は便器洗浄に必要な水量よりわずかに多い水量を貯水することができるタンク１０にすればよい。
【００３９】
したがって、実施例１の便器洗浄装置は、便器洗浄を実行した際にタンク１０内に残留する洗浄水を少なくし、小型化を図ることができる。
【００４０】
この便器洗浄装置は、タンク１０内の水位が低下する際、タンク１０の流入部１１に設けた吸気部１４からタンク１０内に空気が吸気される。このため、この便器洗浄装置はタンク１０内に貯水した洗浄水が流出口２０から良好に流出する。また、この便器洗浄装置は、ポンプ５０の駆動が停止し、第１給水管３１Ａ内の洗浄水の流れが停止すると、逆止弁３８が連通口３５を閉鎖し、洗浄水が上流側へ逆流することを阻止する。このため、この便器洗浄装置は、ポンプ５０内及びポンプ５０より下流側の給水路３０を形成する第１給水管３１Ａ内は洗浄水が満水状態に維持することができ、ポンプ５０の下流側からポンプ５０内に空気が流入することを防止することができる。
【００４１】
この便器洗浄装置は、ポンプ５０の駆動が終了すると、図示しない導水管に設けた開閉弁が開弁し、タンク１０の流入部１１に設けた流入管１２からタンク１０内に洗浄水が流入する。タンク１０内に洗浄水が流入して水位が上昇すると、タンク１０の左側の上方に集まった空気は、空気抜き孔１８から空気抜き用ホース１７を介して流入部１１に排気される。このため、この便器洗浄装置はタンク１０内に洗浄水を良好に貯水することができる。そして、タンク１０内の水位が上昇し、設定水位になると、フロートスイッチ１３が検知信号を送信し、図示しない導水管に設けた開閉弁を閉弁する。このようにして、この便器洗浄装置は便器洗浄の待機状態に復帰する。
【００４２】
次に、このような構成を有する便器洗浄装置の水抜き動作を説明する。
【００４３】
先ず、洗浄水が流入管１２からタンク１０内に流入しないように、図示しない導水管に設けた止水栓を閉弁する。そして、ポンプ５０を駆動して、タンク１０内に貯水した洗浄水を便器本体２の便鉢部３に吐水する。ポンプ５０の駆動を停止すると、逆止弁３８が連通口３５を閉鎖するため、第１給水管３１Ａ内及びポンプ５０内に洗浄水が残留する。この残留した洗浄水を排出するため、次に水抜き用ポンプ４１を駆動する。
【００４４】
水抜き用ポンプ４１が駆動すると、上昇管部３４の第１上昇部３４Ａに設けた水抜き孔３９及び第１水抜きホース４０を介して上昇管部３４内（上昇流路３７）及びポンプ５０内に残留した洗浄水を水抜き用ポンプ４１内に吸い上げる。水抜き用ポンプ４１内に吸い上げた洗浄水は第２水抜きホースを介してタンク１０の流入部１１内に設けたオーバーフロー管に排水する。オーバーフロー管に排出された洗浄水は連通管６３を介して第２吐水口６２から便鉢部３内に排水される。このように、この便器洗浄装置は、寒冷地における凍結防止等のため、上昇流路３７及びポンプ５０内の洗浄水を良好に排水することができる。
【００４５】
＜実施例２＞
実施例２の便器洗浄装置は、図９に示すように、規制部材１２１の形態が実施例１と相違する。他の点は実施例１と同様であり、同一の構成は同一の符号を付し、詳細な説明を省略する。
【００４６】
規制部材１２１は、円盤形状であり、流出口２０の上方に配置されている。規制部材１２１は、平面視において、流出口２０よりも小さい径であり、流出口２０の中央に配置されている。また、規制部材１２１はタンク１０内の最低水位Ｌよりも下方に配置されている。このため、規制部材１２１の底面の外周部はタンク１０内の最低水位Ｌよりも下方に位置している。
【００４７】
規制部材１２１は周端縁の４か所から下方に延びる脚部１３２を有している。規制部材１２１は各脚部１３２の間に開口部１７０を形成し、この開口部１７０に流れ込んだ洗浄水が流出口２０を介して給水路３０に流入する。規制部材１２１は上下方向に貫通した複数の貫通孔１２１Ａを有している。貫通孔１２１Ａは、丸孔であり、開口部１７０より開口面積が小さい。
【００４８】
この規制部材１２１を有したタンク１０を備えた便器洗浄装置は、便器洗浄を実行すると、開口部１７０と貫通孔１２１Ａとを通過した洗浄水が流出口２０に流入する。このため、開口部１７０に流れ込む洗浄水の流量を少なくすることができるため、開口部１７０に流れ込む洗浄水が空気を巻き込み難くなる。また、貫通孔１２１Ａは開口部１７０より開口面積が小さいため、貫通孔１２１Ａに流れ込む洗浄水の流量が少なく、空気を巻き込み難い。よって、この便器洗浄装置は、便器洗浄を実行した際、タンク１０内の水位が低い位置になるまでポンプ５０内に空気が流入せず、ポンプ５０を良好に駆動することができる。
【００４９】
したがって、実施例２の便器洗浄装置も、便器洗浄を実行した際にタンク１０内に残留する洗浄水を少なくし、小型化を図ることができる。
【００５０】
本発明は上記記述及び図面によって説明した実施例１及び２に限定されるものではなく、例えば次のような実施例も本発明の技術的範囲に含まれる。
（１）実施例１及び２では、規制部材を流出口の上方に配置したが、規制部材を配置しなくてもよい。
（２）実施例１及び２では、規制部材を円盤形状にしたが、規制部材は他の形状であってもよい。この場合、タンクの流出口の形状に応じて規制部材の形状を決定するとよい。
（３）実施例１及び２では、規制部材をタンク内の最低水位よりも下方に配置したが、最低水位よりも上方に規制部材を配置してもよい。また、規制部材の一部が最低水位よりも上方に位置し、規制部材の底面の外周部が最低水位よりも下方に位置するようにしてもよい。
（４）実施例１では、規制部材を平面視において流出口より大きく、流出口を覆うように配置したが、規制部材は流出口より小さくてもよい。
（５）実施例１の規制部材に上下方向に貫通し、開口部より開口面積が小さい複数の貫通孔を設けてもよい。
（６）実施例１及び２では、タンクを便鉢部の下方に配置したが、便鉢部の下方にタンクを配置しなくてもよい。また、便鉢部よりも高い位置にタンクを配置してもよい。
（７）実施例１及び２では、上昇管部の第１上昇部内に逆止弁を設けたが、ポンプより上流側の給水路であれば、他の部分に逆止弁を設けてもよい。この場合、水抜き孔を設ける位置を逆止弁の位置に応じて変更するとよい。
（８）実施例１及び２では、第１給水管の水平管部の下流部（給水管）が嵌り込む凹部をタンクに設けたが、給水管が嵌り込む凹部をタンクに設けなくてもよい。
（９）実施例１及び２では、流出口がタンクの底面の最下端部に開口したが、最下端部でなくてもよい。
（１０）実施例２では、規制部材に複数の貫通孔を形成したが、貫通孔を一つのみ設けてもよい。
（１１）実施例２では、平面視において、規制部材を流出口の中央に配置したが、流出口の内側であれば、流出口の中央に配置しなくてもよい。
【符号の説明】
【００５１】
１…水洗式大便器
２…便器本体
１０…タンク
１９…凹部
２０…流出口
２１、１２１…規制部材
３０…給水路
３７…上昇流路
３８…逆止弁
３９…水抜き孔
５０…ポンプ
７０、１７０…開口部
１２１Ａ…貫通孔
Ｌ…（タンク内の）最低水位
【図１】
2014114628.tif 000003
【図２】
2014114628.tif 000004
【図３】
2014114628.tif 000005
【図４】
2014114628.tif 000006
【図５】
2014114628.tif 000007
【図６】
2014114628.tif 000008
【図７】
2014114628.tif 000009
【図８】
2014114628.tif 000010
【図９】
2014114628.tif 000011